(57)【要約】      （修正有）【課題】相手のカメラ目線映像を見て、視線を合わせた会話を可能とするテレビ電話装置を提供する。【解決手段】電話機能を備えたテレビ電話装置１において、映像を撮影するカメラ部２と、他のテレビ電話装置から受信した映像を表示するテレビ制御部１７と、前記カメラ部のそばに配置されるインジケータ６と、前記インジケータを制御するインジケータ制御部１１と、を有し、前記インジケータ制御部は、前記インジケータを点灯あるいは消灯することで、カメラ目線を要求することを特徴とするテレビ電話装置。【選択図】図１
2011078042.tif 000002
【特許請求の範囲】
【請求項１】
電話機能を備えたテレビ電話装置において、
映像を撮影するカメラ部と、
他のテレビ電話装置から受信した映像を表示するテレビ制御部と、
前記カメラ部のそばに配置されるインジケータと、
前記インジケータを制御するインジケータ制御部と、
を有し、
前記インジケータ制御部は、前記インジケータを点灯あるいは消灯することで、カメラ目線を要求することを特徴とするテレビ電話装置。
【請求項２】
請求項１に記載のテレビ電話装置において
タイマー部を有し、
前記インジケータ制御部は、前記タイマー部により計測された一定時間ごとに、前記インジケータを消灯または点灯させることを特徴とするテレビ電話装置。
【請求項３】
請求項１または２に記載のテレビ電話装置において
前記インジケータ制御部は、テレビ電話による通話を開始した場合に、自テレビ電話装置のインジケータを点灯し、テレビ電話による通話を切断した場合に、該通話を切断した方のテレビ電話装置のインジケータを一定期間点灯させることを特徴とするテレビ電話装置。
【請求項４】
請求項２に記載のテレビ電話装置において、
前記インジケータ制御部は、前記タイマー部による時間計測により、１分間に数回インジケータを点灯あるいは消灯することを特徴とするのテレビ電話装置。
【請求項５】
請求項２に記載のテレビ電話装置において
前記インジケータ制御部は、前記タイマー部による時間計測により、１分間に数回、一定時間ではなく乱数により変化された時間にインジケータを点灯あるいは消灯することを特徴とするテレビ電話装置。
【請求項６】
請求項１に記載のテレビ電話装置において、
前記インジケータ制御部は、前記他のテレビ電話装置から送信された、前記他のテレビ電話装置のインジケータを消灯する旨を示す情報に応じて、自テレビ電話装置のインジケータを点灯させることを特徴とするテレビ電話装置。
【請求項７】
請求項１に記載のテレビ電話装置において、
リモコンから視線を要求する旨の情報を受信し、
該視線を要求する情報に応じて、前記他のテレビ電話装置のインジケータを点灯させる旨の情報を前記他のテレビ電話装置に送信することを特徴とするテレビ電話装置。
【請求項８】
請求項１〜７のいずれか１項に記載のテレビ電話装置において、
インジケータが点灯している場合には、カメラを見ることにより相手から視線を貰える可能性が高い旨を表示部に表示することを特徴とするテレビ電話装置。
【発明の詳細な説明】
【技術分野】
【０００１】
本発明は、動画の表示装置と動画の撮影のためのカメラと電話機能を備えたテレビ電話装置において、他機との間でテレビ電話による通話を行なうことができるようにしたテレビ電話装置に関する。
【背景技術】
【０００２】
テレビ電話装置や、写真を撮るカメラにおいて、カメラ目線をもらうといった、視線が合った絵を得ることは、従来からの課題であった。例えば、お互いに自然な会話をすることを目的とする特許文献１記載のシステムが存在する。このシステムでは、お互いの正面の映像をメモリに保存しておいて、視線のずれを検出した際、保存しておいた正面の映像と現在の映像を合成することで、視線を合わせようと努める。
【０００３】
また、カメラ本体に、被写体の興味を引くよう、揺れる人形を取り付けるといった手法をとる特許文献２記載のカメラも存在する。
【先行技術文献】
【特許文献】
【０００４】
【特許文献１】特開平８−２５１５６２
【特許文献２】特開平２００３−１２１９１９
【発明の概要】
【発明が解決しようとする課題】
【０００５】
説明を行ったこれらの技術では、次にあげる問題があった。正面映像をメモリに保存しておいて合成して用いる方式では、顔の継ぎ目が不自然になることが予想され、本来とは異なる顔形となる恐れがあり、正しい映像を得ることは困難であった。また、被写体の注意を引くカメラは、テレビ電話に応用することは考慮されていなかった。
【課題を解決するための手段】
【０００６】
本テレビ電話装置において、カメラの近くにインジケータを装備し、接続されたテレビ電話相互間で、交互に点灯と消灯を行うことを特徴とするテレビ電話システムを提供することにある。
【発明の効果】
【０００７】
本テレビ電話装置は、インジケータが点灯しているときに、使用者のカメラ目線を得て、その映像を相手側に送り、インジケータが消灯されているときに、表示装置を見ることで、相手側のカメラ目線映像を見て、視線を合わせることが可能となる。
【図面の簡単な説明】
【０００８】
【図１】テレビ電話装置の内部構成図の例である。
【図２】テレビ電話装置の外観図の例である。
【図３】テレビ電話装置のインジケータの点灯、消灯のタイムチャート図の例である。
【図４】テレビ電話装置のインジケータ制御部とテレビ制御部による処理を説明するシーケンスチャートの例である。
【図５】テレビ電話装置のインジケータ制御部の処理を説明するフローチャートの例である。
【図６】テレビ電話装置の前で表示部を見ている場合と、カメラを見ているときに得られる映像の説明の例である。
【図７】テレビ電話装置のインジケータと視線との関係を説明する図の例である。
【図８】インジケータの消灯、点灯時に、視線をどこに向ければよいかの説明を表示する例である。
【図９】テレビ電話装置のリモコンの外観図の例である。
【発明を実施するための形態】
【実施例１】
【０００９】
図１はテレビ電話装置の内部構成図の例であり、１はテレビ電話装置、２はカメラ部、３はテレビ部、４はリモコン、５はアンテナ、６はインジケータ、７はカメラ、８はマイク、９はエンコーダ、１０はタイマー部、１１はインジケータ制御部、１２はカメラ制御部、１３はＩＦ部、１４は点灯信号、１５はバス、１６はＩＦ部、１７はテレビ制御部、１８はネットワークＩＦ、１９はネットワークケーブル、２０は表示部、２１は表示制御、２２は放送チューナ、２３はスピーカ、２４はデコーダ、２５は放送デコーダ、２６は自カメラデコーダ、２７は相手カメラデコーダ、２８はリモコンＩＦ、２９はＩＦ接続ケーブル、４０はバスである。
【００１０】
同図において、テレビ電話装置１には、カメラ部２とテレビ部３が含まれており、まずカメラ部２の内部について説明を行う。カメラ部２には、カメラ７とマイク８からの映像と音声をエンコーダ９に入れて、動画圧縮データを作成しバス１５に流す。インジケータ６はバス１５に接続され、インジケータ制御部１１とタイマー部１０によって、点灯あるいは消灯するという機能を、インジケータ６は備える。カメラ制御部１２は、カメラ部２全体の制御を実施しており、バス１５経由で制御を行い、ＩＦ部１３を通じて、テレビ部３との情報のやりとりを実施している。
【００１１】
またエンコーダ９からの動画圧縮データは、バス１５を経由して、ＩＦ部１３を通じて、ＩＦ接続ケーブル２９を用いて、テレビ部３へ送られる。カメラ部２は、カメラ７とマイク８から入力された映像から動画圧縮データの作成とインジケータの点灯、消灯することが備えられた機能である。ここでインジケータ６とは、ＬＥＤなどで構成される発光部品を想定しているが、その他の構成物（回転部品など）によって、ユーザの注意を引くものであれば良い。
【００１２】
テレビ部３において、放送局の電波塔（図示せず）からアンテナ５経由で入力された放送波は、放送チューナ２２によって、動画圧縮データが取り出され、放送デコーダ２５にて、動画伸張され、表示制御２１経由で、表示部２０にて表示される。また、放送デコーダ２５の出力は、スピーカ２３にも送られ、音声として出力される。
以上の動作の結果、本テレビ電話装置１では、テレビ放送の受信機能を備えるという特徴を持つ。
【００１３】
また、ＩＦ接続ケーブル２９経由で、先に説明を行ったカメラ部２から送られた動画圧縮データは、ＩＦ部１６経由で、バス４０を通り、自カメラデコーダ２６において、動画伸張され、表示制御２１に送られ、表示部２０にて表示される。同時に、カメラ部２から送られた動画圧縮データは、バス４０からネットワークＩＦ１８を通じて、ネットワークケーブル１９にて、外部のネットワークに接続されており、通話を行う相手先のテレビ電話装置に接続される。
【００１４】
このとき、相手先のテレビ電話装置から送られてきた動画圧縮データは、ネットワークＩＦ１８経由で受信し、バス４０を通じて相手カメラデコーダ２７にて、動画伸張され、表示される。また相手カメラデコーダ２７から、スピーカ２３に音声が出力される。以上の動作の結果、自分のカメラの映像と、相手のカメラの映像が、表示部２０に表示され、テレビ電話として機能するという特徴がある。
【００１５】
本実施例では、放送デコーダ２５と自カメラデコーダ２６、相手カメラデコーダ２７を、それぞれの動作内容の中で説明を行ったが、これら３個のデコーダは、デコーダ２４の中に構成されており、１個のＬＳＩで構成されている。
【００１６】
図２はテレビ電話装置の外観図の例である。３０はネットワーク、３１はテレビ電話装置、３２は他のテレビ電話装置、３３は視聴画面、３４は自分の映像、３５は相手の映像、３６はインジケータ、３７はカメラ、３８はマイク、３９は表示部、４３はスピーカ、４４は自分の映像、４５は相手の映像、４８は視聴画面、４９はリモコンである。
【００１７】
同図では、図１において説明を行ったテレビ電話装置１の外観を示しており、また、２台のテレビ電話装置すなわちテレビ電話装置３１とテレビ電話装置３２を、ネットワークケーブル１９を用いてネットワーク３０を通じて接続し、テレビ電話構成としたものである。
【００１８】
まず同図、左側のテレビ電話装置３１には、インジケータ６とマイク８とカメラ７が表示部２０より上側に、スピーカ２３とリモコンＩＦ２８が表示部２０より下側に備えられている。表示部２０には、視聴画面３３の中に、自分の映像３４と、テレビ電話装置３２から送られてきた相手の映像３５が表示されている。
【００１９】
また、リモコン４を用いて、リモコンＩＦ２８経由で、ユーザによる操作が可能である。同図、右側のテレビ電話装置３２には、インジケータ３６とマイク３８とカメラ３７が表示部３９より上側に、スピーカ４３とリモコンＩＦ４８が表示部３９より下側に備えられている。表示部３９には、視聴画面４８の中に、自分の映像４４と、テレビ電話装置３１から送られてきた相手の映像４５が表示されている。また、リモコン４９を用いて、リモコンＩＦ４８経由で、ユーザによる操作が可能である。
【００２０】
同図において、テレビ電話装置３１とテレビ電話装置３２は、同一の装置であるが、説明の都合上、個々の説明用の番号は変更してある。本実施例では、テレビ放送の視聴画面を見ながら、相手の映像を表示し、かつ送っている自分の映像の表示が可能である。
【００２１】
図３はテレビ電話装置のインジケータの点灯、消灯のタイムチャート図の例であり、５０は通話開始、５１は切断、５２は通話呼び出し、５３は着信、５４は点滅、５５は通話開始、５６、５７、５８は消灯開始、５９は切断、６０は消灯のタイミングを示したものである。
【００２２】
同図において、３本の水平な直線で示したタイムチャート図のうち、一番上のものは一般的なインジケータでのタイムチャート図を示したものである。本発明を用いていない通常のインジケータとは、カメラが撮影中であることを示すために用いられるため、通話開始５０の時に、点灯し、切断５１のときに消灯するという動きを行う。
【００２３】
同図、上から２本目と３本目のタイムチャート図では、図２において説明を行ったテレビ電話装置３１とテレビ電話装置３２のそれぞれのインジケータであるインジケータ６とインジケータ３６の点灯、消灯タイミングを示すタイムチャート図である。テレビ電話装置３１からの通話呼び出し５２が、テレビ電話装置３２に伝わり、着信５３となり、テレビ電話装置３２のインジケータ３６は、点滅を行う。
【００２４】
その後、通話開始５５を、テレビ電話装置３１に送る。テレビ電話装置３１では、通話開始５５を受け取ると、まずインジケータ６を点灯し、その後、図１で説明を行ったタイマー部１０にて時間を計測し、一定時間経過したら消灯させる。同時に消灯開始５６をテレビ電話装置３２に送る。テレビ電話装置３２では、まずインジケータ３６を点灯し、その後、図１で説明を行ったタイマー部１０にて時間計測し、一定時間経過したら消灯させる。
【００２５】
同時に、消灯開始５７をテレビ電話装置３１に送る。テレビ電話装置３１では消灯開始５７を受け取ったら、まずインジケータ６を点灯させ、その後、図１で説明を行ったタイマー部１０にて時間計測し、一定時間経過したら消灯させる。同時に消灯開始５８をテレビ電話装置３２に送る。
【００２６】
テレビ電話装置３２では消灯開始８７を受け取ったら、まずインジケータ３６を点灯させ、その後、図１で説明を行ったタイマー部１０にて時間計測し、一定時間経過したら消灯させるという動きを本来するはずであるが、先に、テレビ電話装置３１から切断５９が送られてきたので、ここで、通話終了なので、テレビ電話装置３２のインジケータ３６は消灯させる。またテレビ電話装置３１では切断５９と同時にインジケータ６を点灯させ、その後、図１で説明を行ったタイマー部１０にて時間計測し、一定時間経過したら消灯させる。
【００２７】
図３における一番上のタイムチャート図で説明を行った一般的なインジケータとは異なり、本発明におけるインジケータは、着信があったときには、点滅するという特徴を持ち、またテレビ電話装置間で、交互に点灯、消灯を一定時間ごとに繰り返すという特徴を持つ。また、ユーザによる切断処理があった場合、切断した方は、インジケータが点灯して一定時間後、消灯するという動きをするのに対し、切断された方が、ただちに消灯するという特徴がある。
【００２８】
本実施例では、着信があったことを、インジケータの点滅でユーザに知らせるという効果があり、着信通知機能と、撮影中を示す機能が同一部品で構成され、より安価であるという特徴も存在する。
【００２９】
図４はテレビ電話装置のインジケータ制御部とテレビ制御部による処理を説明するシーケンスチャートの例である。図４において、４００からの番号を用いて説明を行う。テレビ電話装置３１と手例電話装置３２には、インジケータ制御部とテレビ制御部が、それぞれ存在し、本実施例では、マイクロプロセッサや、メモリに格納されたプログラムによって動作することで、備える機能を実現するものであるが、それ以外の実装形態を取っても良い。
【００３０】
同図において、テレビ電話装置３１のテレビ制御部４０１は、ユーザによるリモコンの操作により、通話呼び出しを検出すると、４０４にて、通話呼び出しを行う。通話呼び出しが発生すると、テレビ制御部４０１から相手側のテレビ電話装置３２内のテレビ制御部４０２に対し、通話呼び出しが通知され、テレビ制御部４０２は、着信として扱い、４０５に進むと共に、着信がインジケータ制御部４０３に送られ、インジケータ制御部４０３は、４０６にて点滅動作を行う。
【００３１】
テレビ制御部４０２は、ユーザの操作により、着信に対する応答が許可されると、通話開始をインジケータ制御部４０３に送ると共に、テレビ制御部４０１にも送る。またテレビ制御部４０１は、通話開始を受け取ると、４０８に移ると共に、通話開始をインジケータ制御部４００にも送る。テレビ制御部４０１では、４０８では通話状態に移行したことを示す。
【００３２】
また通話開始を受け取ったインジケータ制御部４００は、４０９に移り点灯を行う。一定時間経過後、消灯開始がインジケータ４００からテレビ制御部４０１に送られ、テレビ制御部４０１から、テレビ制御部４０２へ消灯開始が伝えられる。その後、テレビ制御部４０２から消灯開始がインジケータ制御部４０３に伝えられ、インジケータ制御部４０３は、４１０に移行し、インジケータの点灯を行う。一定時間の経過はタイマー部１０により計測される。
【００３３】
一定時間経過後、インジケータ制御部４０３は、インジケータを消灯し、消灯開始をテレビ制御部４０２に伝える。テレビ制御部４０２は、消灯開始したことを、テレビ制御部４０１に伝え、テレビ制御部４０１は、消灯開始をインジケータ制御部４００に伝える。その結果、インジケータ制御部４００は、４１１に移り、点灯を行い、その後、一定時間経過後、消灯を行い、消灯開始をテレビ制御部４０１に伝える。
【００３４】
消灯開始を受け取ったテレビ制御部４０１は、テレビ制御部４０２に消灯開始を伝える。消灯開始を受け取ったテレビ制御部４０２は、消灯開始をインジケータ制御部４０３に伝える。その結果、インジケータ制御部４０３は４１３に移り、点灯を行う。
【００３５】
テレビ電話装置３１のテレビ制御部４０１において、ユーザ操作により、切断指示が検出されると、４１２に移り、切断を行う。テレビ制御部４０１では、切断をインジケータ制御部４００に伝えると共に、テレビ制御部４０２にも伝える。インジケータ制御部４００では切断を受け取ると、４１４に移り、インジケータを一定時間点灯した後、消灯を行う。また、切断を受け取ったテレビ制御部４０２では、インジケータ制御部４０３に切断を伝える。インジケータ制御部４０３では、４１３の点灯処理中であったが、切断が来たため、ただちに消灯するという動作を行う。
【００３６】
以上、説明を行った動作により、互いのテレビ電話装置に内蔵したインジケータ制御部は、テレビ制御部を通じて、消灯開始を通知しあうことで、インジケータの点灯処理を交互に行うという効果がある。
【００３７】
なお、本実施例では、消灯開始時点に消灯開始を示す情報を相手方のテレビに送信し、この消灯開始を示す情報を受信したことに応じて、相手方のテレビのインジケータの点灯を行うが、これに限定されない。テレビ制御部４０２からの通話開始情報をテレビ電話装置３１が受け取ると、インジケータ制御部４００はインジケータの点灯を開始し（ステップ４０９）、テレビ電話装置３１のタイマー部が計測を開始する。一定時間経過を確認したらインジケータ制御部３１はテレビ電話装置３１のインジケータの消灯を行う。
【００３８】
これと同様に、テレビ制御部４０２からの通話開始情報はテレビ電話装置３２も受け取っているため、この通話開始情報に応じてテレビ電話装置３２のタイマー部が計測を開始し、一定時間経過を確認したらテレビ電話装置３２のインジケータの点灯を行う。
【００３９】
このように、それぞれのテレビ電話装置が、同時にタイマー部による一定時間の計測を始動させ、一定時間ごとに、テレビ電話装置３１は点灯から始まり消灯点灯を繰り返し、また、逆にテレビ電話装置３２は消灯から始まり点灯消灯を繰り返すことで、毎回相手のテレビ電話装置に消灯開始情報を送信する必要が無くなる。
【００４０】
図５はテレビ電話装置のインジケータ制御部の処理を説明するフローチャートの例である。５００からの数字を用いて説明を行う。図４で説明を行ってきたインジケータ制御部におけるインジケータ制御とタイマー部との連動を説明するフローチャート図である。インジケータ制御部は、５０１のイベント確認において、テレビ制御部からから受けた通知内容を確認する。その内容が、着信、消灯開始、通話開始、切断の違いによって、それぞれ、５０２、５０３、５０４、５０５にて分岐を行う。特に通知内容が無ければ、また５０１に戻る。
【００４１】
５０２で着信が来た場合、５０６に移り、着信フラグをＯＮにする。着信フラグは、インジケータ制御部の内部にある１ビットのメモリである。その後、５０７に移り、インジケータを点滅させ、また５０１に戻る。
【００４２】
５０３で消灯開始が来た場合、５０８に移り、インジケータを点灯後、図１のタイマー部１０を起動する。続いて５０９にて、タイマー部１０の応答を待つ。ここでタイマー部１０は一定時間経過後、応答をインジケータ制御部に返す。５０９にて応答が来たら、５１０に移りインジケータを消灯させ、その後、５０１に戻る。
【００４３】
５０４で通話開始が来た場合、５１１に移り、着信フラグを確認する。もしＯＦＦであれば、５０８に移動し、先に説明した処理を行う。もしＯＮならば、既に着信中なので、５０７で点滅しているために、５１２でインジケータの消灯を行う。
【００４４】
５０５において、切断が来た場合、５１３に移り、着信フラグを確認する。もしＯＦＦであれば、５０８に移動し、先に説明した処理を行う。もしＯＮであれば、５１４に移りインジケータを消灯させ、５１５にて着信フラグをＯＦＦにして、５０１に戻る。
以上説明した動作の結果、図３あるいは図４での、インジケータの点灯、消灯処理がタイマー部１０と連動させて、一連の動作を行う。
【００４５】
ここで、タイマー部１０が計測する時間は、一定の時間である。この時間は、ユーザからみて、図２のテレビ電話装置３１のインジケータ６と、通話相手側のテレビ電話装置３２のインジケータ３６の、それぞれが点灯する期間を計測する。この時間は、例えば、一分間に何回も点灯、消灯を繰り返すと、会話を阻害するが、数回であれば、会話を阻害することは無く、また自然な視線を交わすことが可能である。
【００４６】
また、別の例としては、乱数となるよう計測し、こちら側のインジケータと相手側のインジケータが点灯、消灯するタイミングが揺らぐが、点灯、消灯が一定期間ごとだと、慣れてしまうので、そのような運用も存在する。また時々は、図５の５０７で着信時の点滅とは異なる点滅タイミングではあるが、点滅させて、ユーザの注意を引いたりする運用も存在する。
以上の動作の結果、インジケータが点灯するタイミングで、ユーザの注意を引くため、カメラに対して、視線を投げることが可能となる。
【００４７】
図６はテレビ電話装置の前で表示部を見ている場合と、カメラを見ているときに得られる映像の説明の例である。
６０１は、話し相手が、表示部を見ている場合であり、下向きの映像となる。これは図２のテレビ電話装置３２の構造では、表示部２０の上に、カメラ３７とインジケータ３６が存在しているため、表示部２０を見ている場合だと、話者はカメラ３７を見ておらず、上側のカメラ３７から見ると、視線が合わない、下向きの映像が送られてくる。
【００４８】
６０２は、話し相手が、カメラを見ている場合であり、正面の映像となる。これは図２のテレビ電話装置３２の構造では、表示部２０の上に、カメラ３７とインジケータ３６が存在しているため、カメラ３７を見ている場合だと、視線がもらえるため、正面の映像が送られてくる。この場合、話者は表示部２０を見ていない。
【００４９】
図７はテレビ電話装置のインジケータと視線との関係を説明する図の例である。ここで、７００はユーザである自分。７０１はユーザ７００の視線。７０２は通話先の相手、７０３は相手７０２の視線である。他の番号については、既に説明済みの図と同じであるため省略する。
【００５０】
図７（ａ）において、左側の自分７００は、表示部２０を見ているため、カメラ７によって撮られた映像は、相手に送られるが、この時の映像は、図６の下向きの映像６０１となる。また相手側は、相手７０２が表示部３９を見ているため、カメラ３７によって撮られた映像が送られるが、これも下向きの映像６０１となる。以上の結果、図７（ａ）ではインジケータ６あるいはインジケータ３６が点灯していないために、どちらも下向きの映像となるため、視線が合うことは無い。
【００５１】
図７（ｂ）において、左側の自分７００は、インジケータ６が点灯しているために、表示部２０ではなく、カメラ７を見ることが予想される。その結果、カメラ７によって撮られた映像は、相手に送られるが、この時の映像は、図６の正面の映像６０２となる。したがって相手７０２は視線があった映像を見ることができる。
【００５２】
また相手側では、相手７０２が表示部３９を見ているため、カメラ３７によって撮られた映像が送られるが、これは下向きの映像６０１となる。しかしながら、この場合自分７００は点灯したインジケータ６によりカメラ７を見ており、表示部２０を見ていないため、視線のあっていない６０１の映像が表示部２０に写っていたとしても自分７００は気が付かない。
【００５３】
以上の結果、図７（ｂ）ではインジケータ６のみが点灯しており、インジケータ３６は消灯しているために、相手７０２の視線７０３にとっては、正面の映像６０２が送られているため、視線が合い、カメラ目線がもらえるという状態になる。
【００５４】
図７（ｃ）において、左側の自分７００は、インジケータ６は点灯していないために、表示部２０を見ているために、相手に送られる映像は、下向きの映像６０１である。しかし、相手側の相手７０２は、インジケータ３６が点灯しているため、カメラ３７を見ることが予想される。その結果、視線の会っていない６０１の映像が表示部３９に写っていたとしても相手７０２は気が付かない。
【００５５】
一方、相手側のインジケータ３６が点灯しているため、相手７０２はカメラ３７を見ている。カメラ３７によって撮られた映像は、自分７００に送られるが、この時の映像は、図６の正面の映像６０２となる。このとき、自分７００は視線７０１を表示部２０に向けており、相手からは、正面の映像６０２が送られてくるため、このときは、視線が合い、カメラ目線がもらえるという状態になる。
以上の動作の結果、インジケータの点灯しているときに、カメラ目線を相手に送ることで、相手側では、視線が合うという状態になるという効果がある。
【００５６】
図８はテレビ電話装置のインジケータの消灯、点灯時に、視線をどこに向ければよいかの説明を表示する例である。
８０１はインジケータが消灯している場合、「視線を表示部に向けてください。」と表示している。このときは、「相手から視線を貰える可能性が高いです。」と表示部に表示している。
【００５７】
８０２はインジケータが点灯している場合、「視線をカメラに向けてください。」と表示している。このときは、「相手に視線を向けた映像を送ることになります。」と表示部に表示している。
【００５８】
以上、説明を行ったように、テレビ電話装置の表示部には、以上のような説明が表示されるため、インジケータが点灯しているときには、カメラを、またインジケータが消灯しているときには、表示部を見ることを促すことになる。その結果、図７において説明したように視線が合わせて会話することが可能となるという効果がある。
なお、上記のような表示は、テレビ電話装置の取扱説明書に記載してもよい。
【実施例２】
【００５９】
図９はテレビ電話装置のリモコンの外観図の例である。図９において、４はリモコン、９１は電源ボタン、９２はテレビボタン、９３は視線ボタン、９４は電話ボタンである。
ユーザは、リモコン４を用いて、図１あるいは図２のテレビ電話装置３１の操作を行う。もし放送されているテレビ番組を見たい場合には、テレビボタン９２を押し、テレビ電話機能を使うならば電話ボタン９４を押して、テレビ電話機能を用いることが可能である。図１のテレビ電話装置３１では、リモコン４の操作情報は、リモコンＩＦ２８経由でバス４０からテレビ制御部１７に送り、ユーザ操作の処理を実現している。
【００６０】
ここで、リモコン４上の視線ボタン９３をユーザが押した場合、図１のリモコンＩＦ２８は視線を要求する旨の情報をリモコンから受信する。テレビ制御部１７は、ネットワークＩＦ１８を通じて、通話先のテレビ電話装置にインジケータを点灯させる旨の指示情報を送り、受け取った側のテレビ電話装置内部のネットワークＩＦ１８を通じて、通話先のテレビ電話装置内部のテレビ制御部１７が、その指示情報を受け取り、通話先のテレビ電話同値内部のインジケータ制御部１１に指示を伝え、通話先のテレビ電話装置内部のインジケータ６を点灯させる。
【００６１】
また視線ボタン９３を離すとテレビ制御部１７は、通話先のテレビ電話装置内部のインジケータ制御部１１に指示を送り、インジケータ６を消灯させる。
以上の動作の結果、リモコンの視線ボタン９３を押すことで、相手側の注意を引くことが可能となり、このとき、視線を貰うことが可能となるという効果が存在する。
【００６２】
実施例中では、テレビ放送を受信可能なテレビ装置に付属する形でのテレビ電話装置として説明を行ったが、テレビ放送受信が電波ではなく、ネットワーク経由での受信形態でも良く、またテレビ受信機能を備えていない形態でも良い。また、装置の大きさに依存しないため、携帯電話や腕時計型のテレビ電話装置にも応用可能である。
【００６３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６４】
また、上記の各構成、機能等は、それらの一部又は全部を、例えば集積回路で設計する等によりハードウェアで実現してもよい。また、上記の各構成、機能等は、テレビ制御部１７がそれぞれの機能を実現するプログラムを解釈、実行することによりソフトウェアで実現してもよい。各機能実行時には、対応するプログラム、テーブル、ファイル等の情報は図示されていないメモリまたはキャッシュメモリに置くことができる。非実行時には、各機能を実現するプログラム、テーブル、ファイル等の情報は、メモリや、図示されていないハードディスク装置、または、ＩＣカード装置等に置くことができる。
【００６５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６６】
１  テレビ電話装置
２  カメラ部
３  テレビ部
４  リモコン
５  アンテナ
６  インジケータ
７  カメラ
８  マイク
９  エンコーダ
１０  タイマー部
１１  インジケータ制御部
１２  カメラ制御部
１３  ＩＦ部
１４  点灯信号
１５  バス
１６  ＩＦ部
１７  テレビ制御部
１８  ネットワークＩＦ
１９  ネットワークケーブル
２０  表示部
２１  表示制御
２２  放送チューナ
２３  スピーカ
２４  デコーダ
２５  放送デコーダ
２６  自カメラデコーダ
２７  相手カメラデコーダ
２８  リモコンＩＦ
２９  ＩＦ接続ケーブル
３０  ネットワーク
４０  バス
３１  テレビ電話装置
３２  テレビ電話装置
３３  視聴画面
３４  自分の映像
３５  相手の映像
３６  インジケータ
３７  カメラ
３８  マイク
３９  表示部
４３  スピーカ
４４  自分の映像
４５  相手の映像
４８  視聴画面
４９  リモコン
５０  通話開始
５１  切断
５２  通話呼び出し
５３  着信
５４  点滅
５５  通話開始
５６  消灯開始
５７  消灯開始
５８  消灯開始
５９  切断
６０  消灯
９１  電源ボタン
９２  テレビボタン
９３  視線ボタン
９４  電話ボタン
６０１  下向きの映像
６０２  正面の映像
７００  自分
７０１  視線
７０２  相手
７０３  視線
８０１  インジケータが消灯している場合
８０２  インジケータが点灯している場合
【図１】
2011078042.tif 000003
【図２】
2011078042.tif 000004
【図３】
2011078042.tif 000005
【図４】
2011078042.tif 000006
【図５】
2011078042.tif 000007
【図６】
2011078042.tif 000008
【図７】
2011078042.tif 000009
【図８】
2011078042.tif 000010
【図９】
2011078042.tif 000011